(57)【要約】【課題】  生花等の収容物を保持して安定した状態で包装することができ、容易に分解及び組立てをすることができる組立式箱の提供。【解決手段】  基板１２と、端板１４，１６と、両側板１９，２０と、端側板間連結板２３，２４と、収容物保持部２５とを備え、側板１９は、外側板２８と、額縁板２９を介して連続した内側板３０とをもって構成され、収容物保持部２５は、端板側保持板４８と、収容物保持孔５３を有する基板側保持板５１とをもって構成され、端側板間連結板２３，２４は、固定部５９を外側板２８の内側面に重ねて貼着し、端板１６を基板側に重ねて折り畳むとともに、両保持板４８，５１を基板側に重ねて折り畳んで全体形状を平板状となし、基板１２に対し側板１９及び端板１４，１６を立ち上げて箱状に形成することにより、両保持板４８，５１がそれぞれ基板１２又は端板１６に対して立ち上がり箱内部に収容物保持部２５が形成される。【選択図】  図３
2006103712.tif 000002
【特許請求の範囲】
【請求項１】
平板状の基板と、該基板の両端縁に折り目を介して一体に形成された両端板と、両側辺に折り目を介して一体に形成された両側板と、前記端板と側板の両側辺間を連結する端側板間連結板と、前記基板と前記端板とに支持され、収容物を保持する収容物保持部とを備え、
前記一方又は両方の側板は、前記基板と折り目を介して連続した外側板と、該外側板の基板とは反対側の縁部に折り目又は一定幅を有する額縁板を介して連続した内側板とをもって構成され、該内側板を前記折り目又は額縁板より折り曲げて前記外側板の内側に重ね合わせ、
前記一方又は両方の端板は、前記基板と折り目を介して連続した外端板と、該外端板の基板とは反対側の縁部に折り目又は一定幅を有する額縁板を介して一体に形成された内端板とをもって構成され、該内端板を前記折り目又は額縁板より折り曲げて前記外端板に重ね合わせ、
前記収容物保持部は、前記内端板の外端板とは反対側の縁部に折り目を介して一体に形成された端板側保持板と、該端板側保持板の前記内端板とは反対側の縁部に折り目を介して一体に形成され、他方の縁部が前記基板に支持された基板側保持板とをもって構成され、前記端板側保持板又は基板側保持板に収容物が保持される収容物保持孔を形成し、
前記端側板間連結板は、前記基板の隅部より斜め外向きに形成された折り目により隔てられた固定部と可動部とを備え、前記固定部を前記外側板の内側面に重ねて貼着し、
前記端板を基板側に重ねて折り畳むとともに、前記両保持板を基板側に重ねて折り畳んで全体形状を平板状となし、前記基板に対し前記側板及び端板を立ち上げて箱状に形成することにより、前記両保持板がそれぞれ基板又は端板に対して立ち上がり箱内部に収容物保持部が形成されるようにしたことを特徴としてなる組立式箱。
【請求項２】
一方の側板は、基板とは反対側の縁部に折り目を介して蓋板を一体に備えた請求項１に記載の組立式箱。
【請求項３】
一方の端板は、基板とは反対側の縁部に折り目を介して蓋板を一体に備えた請求項１に記載の組立式箱。
【請求項４】
内側板は、その折り目側又は額縁板側の隅部より先端縁側に斜めに向けた折り目を形成して該折り目より折り畳まれる逃がし片部を備えた請求項１、２又は３に記載の組立式箱。
【請求項５】
内側板は、外側板の内側面額縁板側部のみに重なる請求項１〜３又は４に記載の組立式箱。
【請求項６】
内端板は、外端板の内側面額縁板側部のみに重なる請求項１〜４又は５に記載の組立式箱。
【請求項７】
端板側保持板は、内端板に先端側縁より切れ目を入れ、該切れ目に沿って形成された請求項１〜５又は６に記載の組立式箱。
【請求項８】
基板側保持板は、端板側保持板とは反対側の縁部に折り目を介して接着片を一体に備えた請求項１〜６又は７に記載の組立式箱。
【請求項９】
収容物保持孔は、その内縁に折り目を介して一体に形成された弾性支持片を一体に備える請求項１〜７又は８に記載の組立式箱。
【請求項１０】
収容物保持孔の開口縁部に保持される輸送用袋を一体的に備えた請求項１〜８又は９に記載の組立式箱。
【請求項１１】
輸送用袋は、不透水性の不織布をもって形成された請求項１０に記載の組立式箱。
【発明の詳細な説明】
【技術分野】
【０００１】
本発明は、主に生花や鉢植え等の包装に用いられる組立式箱に関する。
【背景技術】
【０００２】
従来、生花は、一定本数を紐等で束ね、それを段ボール箱に収容して、生産地より出荷している。
【０００３】
しかし、このような包装状態では、輸送途中に段ボール箱内に収容された生花が箱内で移動し、花や葉が段ボール箱の内壁に当たって傷ついてしまうという問題があった。
【０００４】
そこで、箱底部に生花の茎部が挿入保持される収容物保持部を備え、生花束が箱内で移動しないように収容物保持部に保持させた状態で包装することができる箱が提供されている（例えば、特許文献１を参照）。
【０００５】
また、底部に収容物保持部を設けた箱を使用することによって、鉢植えや端部を輸送用容器等に収容した生花の束も安定した状態で包装することができるようになっている（例えば、特許文献２を参照）。
【特許文献１】実開平６−２２２８７号公報
【特許文献２】特開２００１−３４００２６号公報
【発明の開示】
【発明が解決しようとする課題】
【０００６】
しかし、上述の如き従来の技術では、収容物保持部を設けたことによって箱全体の構成が複雑化し、箱の組立てに手間がかかり、作業効率が悪いという問題があった。
【０００７】
また、収容物保持部を別個に形成するものもあり、そのようなものは部品点数が増加し、箱を構成する材料の使用量が多くなりコストが嵩むという問題があった。
【０００８】
そこで本発明は、上述の従来技術の問題を鑑み、生花等の収容物を保持して安定した状態で包装することができ、容易に分解及び組立てをすることができる組立式箱の提供を目的とする。
【課題を解決するための手段】
【０００９】
上述の如き従来の問題を解決し、所期の目的を達成するための請求項１に記載の発明は、平板状の基板と、該基板の両端縁に折り目を介して一体に形成された両端板と、両側辺に折り目を介して一体に形成された両側板と、前記端板と側板の両側辺間を連結する端側板間連結板と、前記基板と前記端板とに支持され、収容物を保持する収容物保持部とを備え、
前記一方又は両方の側板は、前記基板と折り目を介して連続した外側板と、該外側板の基板とは反対側の縁部に折り目又は一定幅を有する額縁板を介して連続した内側板とをもって構成され、該内側板を前記折り目又は額縁板より折り曲げて前記外側板の内側に重ね合わせ、
前記一方又は両方の端板は、前記基板と折り目を介して連続した外端板と、該外端板の基板とは反対側の縁部に折り目又は一定幅を有する額縁板を介して一体に形成された内端板とをもって構成され、該内端板を前記折り目又は額縁板より折り曲げて前記外端板に重ね合わせ、
収容物保持部は、前記内端板の外端板とは反対側の縁部に折り目を介して一体に形成された端板側保持板と、該端板側保持板の前記内端板とは反対側の縁部に折り目を介して一体に形成され、他方の縁部が前記基板に支持された基板側保持板とをもって構成され、前記端板側保持板又は基板側保持板に収容物が保持される収容物保持孔を形成し、
前記端側板間連結板は、前記基板の隅部より斜め外向きに形成された折り目により隔てられた固定部と可動部とを備え、前記固定部を前記外側板の内側面に重ねて貼着し、
前記端板を基板側に重ねて折り畳むとともに、前記両保持板を基板側に重ねて折り畳んで全体形状を平板状となし、前記基板に対し前記側板及び端板を立ち上げて箱状に形成することにより、前記両保持板がそれぞれ基板又は端板に対して立ち上がり箱内部に収容物保持部が形成されようにした組立式箱であることを特徴とする。
【００１０】
請求項２に記載の発明は、請求項１の構成に加え、一方の側板は、基板とは反対側の縁部に折り目を介して蓋板を一体に備えたことを特徴とする。
【００１１】
請求項３に記載の発明は、請求項１の構成に加え、一方の端板は、基板とは反対側の縁部に折り目を介して蓋板を一体に備えたことを特徴とする。
【００１２】
請求項４に記載の発明は、請求項１、２又は３の構成に加え、内側板は、その折り目側又は額縁板側の隅部より先端縁側に斜めに向けた折り目を形成して該折り目より折り畳まれる逃がし片部を備えたことを特徴とする。
【００１３】
請求項５に記載の発明は、請求項１〜３又は４の構成に加え、内側板は、外側板の内側面額縁板側部のみに重なることを特徴とする。
【００１４】
請求項６に記載の発明は、請求項１〜４又は５の構成に加え、内端板は、外端板の内側面額縁板側部のみに重なることを特徴とする。
【００１５】
請求項７に記載の発明は、請求項１〜５又は６の構成に加え、端板側保持板は、内端板に先端側縁より切れ目を入れ、該切れ目に沿って形成されたことを特徴とする。
【００１６】
請求項８に記載の発明は、請求項１〜６又は７の構成に加え、基板側保持板は、端板側保持板とは反対側の縁部に折り目を介して接着片を一体に備えたことを特徴とする。
【００１７】
請求項９に記載の発明は、請求項１〜７又は８の構成に加え、収容物保持孔は、その内縁に折り目を介して一体に形成された弾性支持片を一体に備えることを特徴とする。
【００１８】
請求項１０に記載の発明は、請求項１〜８又は９の構成に加え、収容物保持孔の開口縁部に保持される輸送用袋を一体的に備えたことを特徴とする。
【００１９】
請求項１１に記載の発明は、請求項１０の構成に加え、輸送用袋は、不透水性の不織布をもって形成されたことを特徴とする。
【発明の効果】
【００２０】
平板状の基板と、該基板の両端縁に折り目を介して一体に形成された両端板と、両側辺に折り目を介して一体に形成された両側板と、前記端板と側板の両側辺間を連結する端側板間連結板と、前記基板と前記端板とに支持され、収容物を保持する収容物保持部とを備え、
前記一方又は両方の側板は、前記基板と折り目を介して連続した外側板と、該外側板の基板とは反対側の縁部に折り目又は一定幅を有する額縁板を介して連続した内側板とをもって構成され、該内側板を前記折り目又は額縁板より折り曲げて前記外側板の内側に重ね合わせ、
前記一方又は両方の端板は、前記基板と折り目を介して連続した外端板と、該外端板の基板とは反対側の縁部に折り目又は一定幅を有する額縁板を介して一体に形成された内端板とをもって構成され、該内端板を前記折り目又は額縁板より折り曲げて前記外端板に重ね合わせ、
収容物保持部は、前記内端板の外端板とは反対側の縁部に折り目を介して一体に形成された端板側保持板と、該端板側保持板の前記内端板とは反対側の縁部に折り目を介して一体に形成され、他方の縁部が前記基板に支持された基板側保持板とをもって構成され、前記端板側保持板又は基板側保持板に収容物が保持される収容物保持孔を形成し、
前記端側板間連結板は、前記基板の隅部より斜め外向きに形成された折り目により隔てられた固定部と可動部とを備え、前記固定部を前記外側板の内側面に重ねて貼着し、
前記端板を基板側に重ねて折り畳むとともに、前記両保持板を基板側に重ねて折り畳んで全体形状を平板状となし、前記基板に対し前記側板及び端板を立ち上げて箱状に形成することにより、前記両保持板がそれぞれ基板又は端板に対して立ち上がり箱内部に収容物保持部が形成されることによって、側板と連動して端板が立ちあがるのに連動して基板側保持板及び端板側保持板が立ち上がるので、箱内部に収容物を保持する収容物保持部を有する箱状に容易に組立て及び解体することができ、作業の効率が向上する。また、収容物保持部を一体に有する構造であるので、部品点数を減らし、箱を構成する材料の使用量を低減することができる。
【００２１】
一方の側板は、基板とは反対側の縁部に折り目を介して蓋板を一体に備えたことによって、好適に箱の開口部を閉鎖することができる。
【００２２】
一方の端板は、基板とは反対側の縁部に折り目を介して蓋板を一体に備えたことによって、好適に箱の開口部を閉鎖することができる。
【００２３】
内側板は、その折り目側又は額縁板側の隅部より先端縁側に斜めに向けた折り目を形成して該折り目より折り畳まれる逃がし片部を備えたことによって、各連結板が内側板に邪魔されずに好適に動作することができる。
【００２４】
内側板は、外側板の内側面額縁板側部のみに重なることによって、材料の使用量が減り、材料費が軽減されるとともに、貴重な紙資源を節約することができる。
【００２５】
内端板は、外端板の内側面額縁板側部のみに重なることによって、材料の使用量が減り、材料費が軽減されるとともに、貴重な紙資源を節約することができる。
【００２６】
端板側保持板は、内端板に先端側縁より切れ目を入れ、該切れ目に沿って形成されたことによって、端板側保持板を任意の形状に形成することができる。
【００２７】
基板側保持板は、端板側保持板とは反対側の縁部に折り目を介して接着片を一体に備えたことによって、基板側保持板を基板に折り目より折曲げ可能な状態に支持させることができる。
【００２８】
収容物保持孔は、その内縁に折り目を介して一体に形成された弾性支持片を一体に備えることによって、収容物を安定した状態に保持することができる。
【００２９】
収容物保持孔の開口縁部に保持される輸送用袋を一体的に備えたことによって、花等の収容物の鮮度を保った状態で包装することができる。
【００３０】
輸送用袋は、不透水性の不織布をもって形成されたことによって、水漏れを防止することができる。
【発明を実施するための最良の形態】
【００３１】
次に、本発明に係る組立式箱の実施形態に関し図１〜図６について説明する。尚、図中に示す方向をそれぞれ前背左右天底として説明する。
【００３２】
図１、図２は組立式箱の一例の使用状態を示し、図中符号１０は組立式箱、符号１１は生花等の収容物である。
【００３３】
組立式箱１０は、段ボール紙又はボール紙等からなる板状材を図３に示す展開図のように打ち抜き、それを折曲加工することにより形成されている。
【００３４】
この組立式箱１０は、背板を構成する平板状の基板１２と、基板１２の天端縁に折り目１３を介して一体に形成された天端板１４と、基板１２の底端縁に折り目１５を介して一体に形成された底端板１６と、基板１２の両側縁にそれぞれ折り目１７，１８を介して一体に形成された両側板１９，２０と、一方の側板、即ち右側板２０の基板１２とは反対側の縁部に折り目２１を介して一体に形成された蓋板２２と、他方の側板、即ち左側板１９と天端板１４の両側辺間を連結する天端側板間連結板２３と、左側板１９と底端板１６の両側辺間を連結する底端側板間連結板２４と、箱底部に配置され、収容物１１を保持する収容物保持部２５とを備えている。
【００３５】
更には、右側板２０と天端板１４の両側辺間を連結する天端側板間連結板２６と、右側板２０と底端板１６の両側辺間を連結する底端板間連結板２７を備えている。
【００３６】
左側板１９は、基板１２と折り目１７を介して連続した外側板２８と、その折り目１７とは反対側の縁部に左額縁板２９を介して一体に形成された内側板３０とをもって構成され、左額縁板２９の両縁部を折り目として折り曲げることにより、内側板３０を外側板２８に重ね合わせ、内側板３０の左額縁板２９とは反対側の縁部に切れ目３１ａ，３１ａを入れることにより形成され、折り目３１ｂより折り曲げた接着片３１を外側板２８の内側面に接着剤により固着させている。
【００３７】
内側板３０は、外側板２８に対して左額縁板２９と直交する方向の長さが短く形成されており、組み立てた際に、外側板２８の額縁板側部のみに重なり合うようになっている。
【００３８】
また、内側板３０には、その上下両縁基端側、即ち左額縁板側の隅部より先端縁側に斜めに向けた折り目３２，３２を形成して折り目３２より折り畳まれる逃がし片部３３，３３を備えている。
【００３９】
逃がし片部３３の縁部、即ち内側板３０の上下縁には、天端板１４及び底端板１６の側縁に形成された係止凹部３４に係合する縁部係止突部３５が形成されている。
【００４０】
尚、図中符号３６は、逃がし片部３３を立ち上げる際に使用する指孔である。
【００４１】
左額縁板２９は、一定幅を有する細長板状に形成され、左側板１９の前縁部を構成している。
【００４２】
また、左側板１９には、前縁部即ち左額縁板２９に円弧状の切れ目を入れることにより係止片挿入孔３７が形成されている。
【００４３】
右側板２０は、基板１２と折り目１８を介して連続して形成され、その折り目１８とは反対側の縁部に折り目２１を介して蓋板２２が連続して形成されている。
【００４４】
蓋板２２は、基板１２と略同形の平板状に形成され、箱の前面を覆うようになっており、その折り目２１とは反対側の縁部には、係止片挿入孔３７に挿入される係止片３８が折り目を介して一体に形成されている。
【００４５】
天端板１４は、天外端板３９と、天額縁板４０と、天内端板４１とをもって構成され、天額縁板４０の両縁部を折り目として折り曲げることにより、天内端板４１を天外端板３９に重ね合わせるようになっている。
【００４６】
天外端板３９は、基板１２と折り目１３を介して連続して形成されている。
【００４７】
天内端板４１は、天外端板３９に対し、天額縁板４０と直交する方向の長さが短く形成され、組み立てた際に、天外端板３９の額縁板側部のみに重なり合うようになっている。
【００４８】
また、天内端板４１の側縁には、内側板３０の上下縁に設けられた縁部係止突部３５が係合されるように係合用の係止凹部３４が設けられ、また、折り目を介して挟み込み片４２が一体に形成されている。
【００４９】
天額縁板４０は、一定幅を有する細長板状に形成され、天外端板３９と天内端板４１の前縁間を連結し、天端板１４の前縁部を構成している。
【００５０】
底端板１６は、底外端板４３と、底額縁板４４と、底内端板４５とをもって構成され、底額縁板４４の両縁部を折り目として折り曲げることにより、底内端板４５を底外端板４３に重ね合わせるようになっている。
【００５１】
底外端板４３は、基板１２と折り目１５を介して連続して形成されている。
【００５２】
底内端板４５は、底外端板４３に対し底額縁板４４と直交する方向の長さが短く形成され、底外端板４３の前端部分にのみ重なり合うようになっている。
【００５３】
また、底内端板４５の側縁には、内側板３０の上下縁に設けられた縁部係止突部３５が係合されるように係合用の係止凹部３４が設けられ、また、折り目を介して挟み込み片４６が一体に形成されている。
【００５４】
更に、切れ目４７及び折り目４９を設けることにより、底内端板４５の底額縁板４４と反対側の縁部が段形状に形成され、折り目４９を介して切れ目４７に沿って延長された端板側保持板４８が一体に形成されている。
【００５５】
底額縁板４４は、一定幅を有する細長板状に形成され、底外端板４３と底内端板４５の前縁間を連結し、底端板１６の前縁部を構成している。
【００５６】
収容物保持部２５は、底端板１６、即ち底内端板４５より折り目４９を介して立ち上げた端板側保持板４８と、端板側保持板４８の底端板１６とは反対側の縁部より折り目５０を介して連続した基板側保持板５１とをもって構成されている。
【００５７】
端板側保持板４８は、底端板１６、即ち底内端板４５に対し一方に偏らせて配置され、折り目４９より折り曲げて底端板１６、即ち底内端板４５に対し立ち上がるようになっている。
【００５８】
また、端板側保持板４８は、折り目４９の内底端板側縁にコ字状の切れ目を入れることにより、下縁に支持片５２を一体に備え、この支持片５２は、端板側保持板４８を底端板１６に対し立ち上げることにより、下向きに突出して底外端板４３に当接し、底端板１６に対し端板側保持板４８を支持するようになっている。
【００５９】
基板側保持板５１は、中央に収容物挿入孔５３が形成され、その端板側保持板４８とは反対側の縁部には折り目５４を介して接着片５５が一体に形成されている。
【００６０】
接着片５５は、基板１２の底側辺（折り目１５）より端板側保持板４８の長さ分だけ隔てた位置に接着され、基板側保持板５１が基板１２に対し折り目５４を介して支持されるようになっている。
【００６１】
また、底端板１６を基板１２に重ねて折り畳むことによって、端板側保持板４８及び基板側保持板５１が基板１２に重ねて折り畳まれた状態となり、底端板１６を基板１２に対して立ち上げることにより、端板側保持板４８が底端板１６に対して立ち上がり，基板側保持板５１が基板１２に対して立ち上がり、箱底部に収容物保持部２５が形成されるようになっている。
【００６２】
尚、収容物保持部２５は、図４に示すように、収容物挿入孔５３の下側に輸送用袋５６を一体的に備えることが好ましい。
【００６３】
輸送用袋５６は、ポリオレフィンからなる不透水性の不織布により有底筒状に形成され、その開口縁部が収容物挿入孔５３の周囲裏側に貼着されている。また、箱全体を折り畳んだ際に、この輸送用袋５６も折り畳まれて嵩張らないようになっている。
【００６４】
また、使用時には、輸送用袋５６内にくず綿等の保水性を有する保水材５７に含水させた状態で備えることが好ましい。
【００６５】
天端側板間連結板２３及び底端側板間連結板２４は、基板１２の四隅より斜め外向きに延長された折り目５８を介して隔てられた固定部５９と可動部６０とをもって構成され、固定部５９が接着剤をもって外側板２８の内面に接着され、組み立てられた際に、各連結板２３，２４の固定部５９と可動部６０とが重なり合った部分の一部が内側板３０、即ち逃がし片部３３，３３により押さえられるようになっている。
【００６６】
また、天端側板間連結板２６及び底端側板間連結板２７は、それぞれ基板１２の四隅より斜め外向きに延長された折り目６１を備え、蓋板２２を閉じた際に、折り目６１より折り畳まれて箱内部に折り込まれるようになっている。
【００６７】
次に、上述した組立式箱１０の組立方法について図５〜図６を参照して説明する。
【００６８】
まず、図５（ａ）〜（ｂ）に示すように、天内端板４１を天額縁板４０の両側縁を折り目として折り曲げて天外端板３９に重ね合わせ、天内端板４１を天外端板３９に貼着させることにより天端板１４を形成し、同様に底内端板４５を底額縁板４４の両側縁を折り目として折り曲げて底外端板４３に重ね合わせ、底内端板４５を底外端板４３に貼着させることにより底端板１６を形成する。
【００６９】
このとき、端板側保持板４８及び基板側保持板５１も底内端板４５とともに基板側に折り畳まれ、基板側保持板５１が基板１２に重なり合い、その位置で接着片５５を基板１２の内側面に接着剤等により貼着する。
【００７０】
尚、基板側保持板５１の裏面には、折り畳まれた状態の輸送用袋５６を予め貼り付けておくことが好ましい。
【００７１】
次に、図５（ｂ）〜（ｃ）に示すように、折り目１３に沿って天端板１４を内側、即ち基板側に折り曲げ、基板１２に重ねて折り畳む。そして、そのとき一緒に折られる天端側板間連結板２３の固定部５９を外側板２８の重なり合った部分に接着剤等によって貼着させる。
【００７２】
同様に、折り目１５に沿って底端板１６を内側、即ち基板側に折り曲げ、基板１２に重ねて折り畳む。そして、そのとき一緒に折られる底端側板間連結板２４の固定部５９を外側板２８の重なり合った部分に接着剤等によって貼着させる。
【００７３】
このように底端板１６を基板側に折り曲げることにより、端板側保持板４８及び基板側保持板５１が、それぞれ折り目４９，５０より折り曲げられ、端板側保持板４８及び基板側保持板５１が重なりあった状態で基板１２に折り畳まれる。
【００７４】
また、各連結板２３，２４の固定部５９を外側板２８の重なり合った部分に貼着させたことにより、側板１９を立ち上げると貼着された連結板２３，２４に連動して天端板１４及び底端板１６も立ち上がるようになっている。
【００７５】
そして、図５（ｃ）〜（ｄ）に示すように、内側板３０を左額縁板２９の両縁を折り目として折り曲げ、外側板２８に重ね合わせ、重なり合った内側板３０の接着片３１を外側板２８の内側面に貼着させる。
【００７６】
これで一次組立が終了し、組立中間部材７０が形成され、この状態で、運搬や保管等を行えば、平板状であるので重ねても嵩張らず効率がよい。
【００７７】
次に、この組立中間部材７０を縦向きにし、図６（ｅ）〜（ｆ）に示すように、側板１９を立ち上げると、各連結板２３，２４が連動して天端板１４及び底端板１６も立ち上がる。このとき逃がし片部３３，３３を立ち上げることにより、連結板２３，２４が内側板３０に邪魔されずに好適に作動する。
【００７８】
また、このとき、底端板１６を基板１２に対して立ち上げることに連動して、端板側保持板４８が底端板１６に対して立ち上がり、基板側保持板５１が基板１２に対して立ち上がり、箱底部に収容物保持部２５が形成される。
【００７９】
そして、図６（ｆ）〜（ｇ）に示すように、側板１９、天端板１４及び底端板１６を基板１２に対して立ち上げ、逃がし片部３３，３３を元に戻して、内側板３０の上下縁に形成された縁部係止突部３５，３５を天端板１４及び底端板１６の係止凹部３４，３４に係合させ、連結板２３，２４の固定部５９と可動部６０とが重なり合った部分を、外側板２８と内側板３０、即ち外側板２８と逃がし片部３３，３３との間で挟持する。
【００８０】
この際、挟み込み片４２，４６も両連結板２３，２４とともに外側板２８と内側板３０、即ち外側板２８と逃がし片部３３，３３との間に挟持される。
【００８１】
これにより、組立式箱１０は、箱底部に収容物保持部２５を備える箱状に形成される。
【００８２】
そして、生花等の収容物１１を収容物保持部２５に保持させ、即ち、基板側保持板５１の収容物挿入孔５３を通して茎部を広げた輸送用袋５６に挿入し、収容物１１を安定した状態で箱内に収容する。
【００８３】
最後に、折り目１８より右側板２０を立ち上げ、更に、天端側板間連結板２６及び底端側板間連結板２７を内側の折り込んだ状態で折り目２１より蓋板２２を折り曲げ、縁部の係止片３８を係止片挿入孔３７に挿入することにより前面を閉じ、収容物の包装がなされる。
【００８４】
尚、上述の実施例では、輸送用袋を使用した例について説明したが、輸送用袋を使用せずに、その他の容器に花の茎部を保持させ、それを収容物保持部の収容物挿入孔に挿入して保持させるようにしてもよい。
【００８５】
次に、本発明に係る組立式箱の他の一例に関し図７〜図１１について説明する。尚、図中に示す方向をそれぞれ前背左右天底として説明する。
【００８６】
図７、図８は組立式箱の一例の使用状態を示し、図中符号１００は組立式箱、符号１０１は鉢植え等の収容物である。
【００８７】
組立式箱１００は、段ボール紙又はボール紙等からなる板状材を図９に示す展開図のように打ち抜き、それを折曲加工することにより形成されている。
【００８８】
この組立式箱１００は、底板を構成する平板状の基板１０２と、基板１０２の前背両端縁に折り目１０３，１０４を介して一体に形成された端板１０５，１０６と、基板１０２の左右両側縁に折り目１０７，１０８を介して一体に形成された側板１０９，１１０と、端板と側板の側辺間を連結する端側板間連結板１１１，１１２，１１３，１１４と、基板１０２及び端板１０５に支持された収容物保持部１１５とを備えている。
【００８９】
また、端板１０６の基板１０２とは反対側の縁部には、折り目１１６を介して蓋板１１７が一体に備えられている。
【００９０】
前端板１０５は、基板１０２と折り目１０３を介して連続した外端板１１８と、外端板１１８の基板１０２とは反対側の縁部に前端額縁板１１９を介して連続した内端板１２０とをもって構成され、前端額縁板１１９の両側縁を折り目として内端板１２０を内側に折り曲げて重ね合わせ、両板１１８，１２０の対向する面同士を接着剤で貼着している。
【００９１】
前端額縁板１１９は、一定幅を有する細長板状に形成され、端板の基板１０２とは反対側の縁部を構成している。
【００９２】
内端板１２０は、外端板１１８に対し、前端額縁板１１９と直交する方向の長さが短く形成され、その両側縁には、折り目を介して挟み込み片１２１，１２１が一体に形成されている。
【００９３】
また、内端板１２０の額縁板とは反対側の縁部には、収容物保持部１１５を構成する端板側保持板１３９が折り目１３８を介して一体に形成されている。
【００９４】
また、前端板１０５には、上縁部即ち前端額縁板１１９にスリット状の抜け止片挿入孔１２２が形成され、その抜け止片挿入孔１２２を跨いでコ字状の切れ目を入れることにより、抜け止片１２３が形成され、この抜け止片１２３が折り目１２４，１２５より折り曲げられるようになっている。
【００９５】
背端板１０６は、基板１０２と折り目１０４を介して連続して形成され、その折り目１０４とは反対側の縁部に折り目１１６を介して蓋板１１７が連続して形成されている。
【００９６】
蓋板１１７は、基板１０２と略同形の平板状に形成され、箱の上面を覆うようになっており、その折り目１１６とは反対側の縁部には、抜け止片挿入孔１２２に挿入される抜け止挿入片１２６が折り目１２７を介して一体に形成されている。
【００９７】
そして、その抜け止挿入片１２６の折り目側縁には、抜け止片１２３の折り目１２５より先の部分が挿入される閂孔１２８が形成されている。
【００９８】
左側板１０９は、基板１０２の側辺に折り目１０７を介して連続した左外側板１２９と、左外側板１２９の基板１０２とは反対側の縁部に左額縁板１３０を介して一体に形成された左内側板１３１とをもって構成され、左額縁板１３０の両側縁を折り目として左内側板１３１を内側に折り曲げて左外側板１２９の内側面に重ね合わせ、両板１２９，１３１の重なり合った部分を接着剤により貼着する。
【００９９】
右側板１１０は、基板１０２の側辺に折り目１０８を介して連続した右外側板１３２と、右外側板１３２の基板１０２とは反対側の縁部に右額縁板１３３を介して一体に形成された右内側板１３４とをもって構成され、右額縁板１３３の両側縁を折り目として右内側板１３４を内側に折り曲げて右外側板１３２の内側面に重ね合わせ、両板１３２，１３４の重ね合わせた部分を接着剤により貼着する。
【０１００】
左内側板１３１及び右内側板１３４は、外側板１２９，１３２に対し額縁板１３０，１３３と直交する方向の長さが短く形成され、その長さは、内端板１２０と同じ長さとなっている。
【０１０１】
また、内側板１３１，１３４の前端側にのみ、側縁基端側、即ち額縁板側の隅部より斜めに向けた折り目１３５を形成することにより、その折り目１３５より折り畳める逃がし片部１３６が形成されている。
【０１０２】
この逃がし片部１３６の側縁、即ち、内側板１３１，１３４の前側縁には、前端板１０５の内側面を構成する内端板１２０の両側縁に形成された係止凹部１５１，１５１に係止される係止片１３７が一体に形成されている。
【０１０３】
収容物保持部は、内端板１２０の外端板とは反対側の縁部に折り目１３８を介して一体に形成された端板側保持板１３９と、端板側保持板１３９の内端板１２０とは反対側の縁部に折り目１４０を介して一体に形成された基板側保持板１４１とをもって構成されている。
【０１０４】
端板側保持板１３９は、折り目１３８より折り曲げて前端板１０５に対し立ち上がるようになっており、その表面には、収容物１０１が収容される収容物挿入孔１４２，１４２…が形成されている。
【０１０５】
基板側保持板１４１は、その端板側保持板１３９とは反対側の縁部には折り目１４３を介して接着片１４４が一体に形成されている。
【０１０６】
接着片１４４は、基板１０２の前端辺（折り目１０３）より端板側保持板１３９の長さ分だけ隔てた位置に接着され、基板側保持板１４１が基板１０２に対し折り目１４３を介して支持されるようになっている。
【０１０７】
また、前端板１０５を基板１０２に重ねて折り畳むことによって、端板側保持板１３９及び基板側保持板１４１が基板１０２に重ねて折り畳まれた状態となり、前端板１０５を基板１０２に対して立ち上げることにより、端板側保持板１３９が前端板１０５に対して立ち上がり，基板側保持板１４１が基板１０２に対して立ち上がり、箱底部に収容物保持部が形成されるようになっている。
【０１０８】
端側板間連結板１１１，１１２は、基板１０２の隅より斜め外向きに形成された折り目１４５により隔てられた固定部１４６と可動部１４７とを備え、外端板１１８及び外側板１２９，１３２の両側辺間、即ち端板１０５と側板１０９，１１０の両側縁間を連結している。
【０１０９】
この端側板間連結板１１１，１１２は、固定部１４６が接着剤をもって外側板１２９，１３２の内面に接着され、組み立てられた際に、各連結板１１１，１１２の固定部１４６と可動部１４７とが重なり合った部分の一部が内側板、即ち逃がし片部１３６により押さえられるようになっている。
【０１１０】
背端側板間連結板１１３，１１４は、基板１０２の隅より斜め外向きに形成された折り目１４８を有し、この折り目より折り畳まれて背端板１０６の内側に折り込まれるようになっている。
【０１１１】
次に、この組立式箱１００の組立て方法について説明する。
【０１１２】
まず、図１０（ａ）〜図１０（ｂ）に示すように、額縁板１１９の両側縁を折り目として前内端板１２０を内側に折り曲げて前外端板１１８に重ね合わせ、両板１１８，１２０の重なり合った部分を接着剤で貼着する。
【０１１３】
このとき、前内端板１２０とともに端板側保持板１３９及び基板側保持板１４１が内側に折り畳まれ、基板１０２に重ねられ、その位置で接着片１４４を基板１０２に接着剤により貼着する。
【０１１４】
次に、図１０（ｂ）〜図１０（ｃ）に示すように、折り目１０３に沿って前端板１０５を内側、即ち基板側に折り曲げ、基板１０２に重ねて折り畳む。そして、そのとき一緒に折られる端側板間連結板１１１，１１２の固定部１４６を外側板１２９，１３２の重なり合った部分に接着剤等によって貼着させる。
【０１１５】
このように前端板１０５を基板１０２側に折り曲げることにより、基板側保持板１４１及び端板側保持板１３９が、折り目１３８，１４０より折り曲げられ、基板側保持板１４１に端板側保持板１３９が重なりあった状態で折り畳まれる。
【０１１６】
また、各連結板１１１，１１２の固定部１４６を外側板１２９，１３２の重なり合った部分に貼着させたことにより、両側板１０９，１１０を立ち上げると貼着された連結板１１１，１１２に連動して前端板１０５も立ち上がるようになっている。
【０１１７】
そして、図１０（ｃ）〜図１０（ｄ）に示すように、内側板１３１，１３４を額縁板１３０，１３３の両縁を折り目として折り曲げ、外側板１２９，１３２に重ね合わせ、重なり合った内側板１３１，１３４を外側板１２９，１３２の内側面に貼着させる。
【０１１８】
これで一次組立が終了し、組立中間部材１５０が形成され、この状態で、運搬や保管等を行えば、平板状であるので重ねても嵩張らず効率がよい。
【０１１９】
次に、この組立中間部材１５０を図１０（ｄ）〜図１１（ｅ）に示すように、両側板１０９，１１０を立ち上げると、各連結板１１１，１１２が連動して、前端板１０５も立ち上がる。
【０１２０】
このとき、前端板１０５に連動して基板側保持板１４１及び端板側保持板１３９がそれぞれ、基板１０２又は前端板１０５に対して立ち上がり、箱内部に収容物保持部１１５が形成される。
【０１２１】
尚、逃がし片部１３６を立ち上げることにより、連結板１１１，１１２が内側板１３１，１３４に邪魔されずに好適に作動する。
【０１２２】
そして、図１１（ｅ）〜図１１（ｆ）に示すように、前端板１０５及び両側板１０９，１１０を基板１０２に対して立ち上げ、逃がし片部１３６，１３６を元に戻して、逃がし片部１３６、即ち両内側板の側縁に形成された係止片１３７を前端板１０５を構成する内端板１２０の両側縁に形成された係止凹部１５１，１５１に係止させ、連結板１１１，１１２の固定部１４６と可動部１４７とが重なり合った部分を、外側板１２９，１３２と内側板１３１，１３４との間で挟持する。
【０１２３】
これにより、組立式箱１００は、図１１（ｇ）に示すように、箱底部に収容物保持部１１５を備える箱状に形成される。
【０１２４】
そして、鉢植え等の収容物１０１を収容物保持部１１５に保持させ、即ち、端板側保持板１３９に形成された収容物挿入孔１４２，１４２…に収容物１０１に挿入し、収容物１０１を安定した状態で箱内に保持する。
【０１２５】
最後に、折り目１０４より背端板１０６を立ち上げ、更に、折り目１１６より蓋板１１７を折り曲げ、縁部の抜け止挿入片１２６を挿入孔１２２に挿入し、抜け止片１２３を折り目１２５より折り曲げ、その先端部を閂孔１２８に差し込むことにより閉じた状態とすることができる。
【図面の簡単な説明】
【０１２６】
【図１】本発明に係る組立式箱の一例を示す斜視図である。
【図２】同上の組立式箱の蓋板を開いた状態を示す斜視図である。
【図３】同上の組立式箱の展開図である。
【図４】同上の組立式箱の収容物保持部に生花を保持させた状態の一例を示す部分拡大断面図である。
【図５】図１中の組立式箱の組立中間工程の状態を示す斜視図である。
【図６】同上の組立式箱の製箱工程の状態を示す斜視図である。
【図７】本発明に係る組立式箱の他の実施の一例を示す斜視図である。
【図８】同上の組立式箱の蓋板を開いた状態を示す斜視図である。
【図９】同上の組立式箱の展開図である。
【図１０】同上の組立式箱の組立中間工程の状態を示す斜視図である。
【図１１】同上の組立式箱の製箱工程の状態を示す斜視図である。
【符号の説明】
【０１２７】
１０  組立式箱
１１  収容物
１２  基板
１３  折り目
１４  天端板
１５  折り目
１６  底端板
１７，１８  折り目
１９，２０  側板
２１  折り目
２２  蓋板
２３  天端側板間連結板
２４  底端側板間連結板
２５  収容物保持部
２６  天端側板間連結板
２７  底端側板間連結板
２８  外側板
２９  額縁板
３０  内側板
３１  接着片
３１ａ  切れ目
３１ｂ  折り目
３２  折り目
３３  逃がし片部
３４  係止凹部
３５  縁部係止突部
３６  指孔
３７  係止片挿入孔
３８  係止片
３９  天外端板
４０  天額縁板
４１  天内端板
４２  挟み込み片
４３  底外端板
４４  底額縁板
４５  底内端板
４６  挟み込み片
４７  切れ目
４８  端板側保持板
４９  折り目
５０  折り目
５１  基板側保持板
５２  支持片
５３  収容物挿入孔
５４  折り目
５５  接着片
５６  輸送用袋
５７  保水材
５８  折り目
５９  固定部
６０  可動部
６１  折り目
７０  組立中間部材
１００  組立式箱
１０１  収容物（鉢植え）
１０２  基板
１０３，１０４  折り目
１０５  前端板
１０６  背端板
１０７，１０８  折り目
１０９  左側板
１１０  右側板
１１１，１１２  端側板間連結板
１１３，１１４  端側板間連結板
１１５  収容物保持部
１１６  折り目
１１７  蓋板
１１８  外端板
１１９  前端額縁板
１２０  内端板
１２１  挟み込み片
１２２  抜け止挿入孔
１２３  抜け止片
１２４，１２５  折り目
１２６  抜け止挿入片
１２７  折り目
１２８  閂孔
１２９  左外側板
１３０  左額縁板
１３１  左内側板
１３２  右外側板
１３３  右額縁板
１３４  右内側板
１３５  折り目
１３６  逃がし片部
１３７  係止片
１３８  折り目
１３９  端板側保持板
１４０  折り目
１４１  基板側保持板
１４２  収容物挿入孔
１４３  折り目
１４４  接着片
１４５  折り目
１４６  固定部
１４７  可動部
１４８  折り目
１５０  組立中間部材
１５１  係止凹部
【図１】
2006103712.tif 000003
【図２】
2006103712.tif 000004
【図３】
2006103712.tif 000005
【図４】
2006103712.tif 000006
【図５】
2006103712.tif 000007
【図６】
2006103712.tif 000008
【図７】
2006103712.tif 000009
【図８】
2006103712.tif 000010
【図９】
2006103712.tif 000011
【図１０】
2006103712.tif 000012
【図１１】
2006103712.tif 000013